(57)【要約】【課題】卓上カレンダー、ファイル、ノート等の様々な紙製品の綴込みに適用可能な紙葉の台紙への綴込み構造を提供する。【解決手段】台紙２上で狭口領域２ａ２側から突出部２１２の下側へ向け、その介在部１３が狭口領域２ａ２の所定位置に決まるまで、複数のカレンダーカード１の差込み片１２を一度に、広口領域２ａ１におけるコーナー部２ｒの切込み２ｘを介して開口部２ａへ差込んで台紙２に引っ掛け、突出部２１２によって介在部１３の上下の位置ズレを防ぎながら、介在部１３を狭口領域２ａ２上に半ば自動的に位置決めし、カレンダーカード１の本体部１１を、連結部１３１の二本スジ１３１ａを支軸として揺動可能に台紙２に綴込む。【選択図】図２
2015009391.tif 000002
【特許請求の範囲】
【請求項１】
紙葉に設けられている差込み片を、この差込み片よりも短い長さで台紙上に形成されている開口部へ差込むことで、前記紙葉を前記台紙へ綴込むことのできる紙葉の台紙への綴込み構造であって、
前記紙葉は、前記差込み片と、表示内容が掲載される箇所となる本体部と、この本体部及び前記差込み片の間で、前記開口部よりも短い又は同等の長さで介在して前記本体部及び前記差込み片をつなぐ介在部とを有し、この介在部の一部に切れ刃が入れられることで、前記本体部及び前記差込み片を連結している連結部が形成されてなり、
前記差込み片の前記開口部への差込みを通じ、前記台紙に前記差込み片を引っ掛けることで、前記連結部を支軸として前記本体部が前記台紙へ、揺動可能に綴込まれる、
ことを特徴とする紙葉の台紙への綴込み構造。
【請求項２】
前記台紙は、前記開口部の周縁から両側端まで折れスジが形成されるとともに、前記開口部上へ向けて突出する突出部が形成されている、
ことを特徴とする請求項１に記載の紙葉の台紙への綴込み構造。
【請求項３】
前記開口部におけるコーナー部から前記台紙の側端へ向けて切込みが入れられている、
ことを特徴とする請求項１又は請求項２に記載の紙葉の台紙への綴込み構造。
【請求項４】
前記紙葉の本体部が複数に分割されている、
ことを特徴とする請求項１から請求項３までの何れか１項に記載の紙葉の台紙への綴込み構造。
【発明の詳細な説明】
【技術分野】
【０００１】
本発明は、紙葉の差込み片を台紙の開口部へ差込むことで、紙葉を台紙へ綴込むことのできる紙葉の台紙への綴込み構造に関し、卓上や壁に掛けて使う表示具の構成として例えば、卓上カレンダーや壁掛けカレンダーの構成のほか、複数枚又は多数枚の紙葉を綴込むファイリング、ノート及び冊子の構成等にも適用可能な紙葉の台紙への綴込み構造に関する。
【背景技術】
【０００２】
紙葉の綴込み構造が採用されている一例として、カレンダーを挙げることができる。カレンダーはその実用性から、企業のプレミアム、ノベルティ等として消費者に贈呈されることが多い。カレンダーを綴込むのに利用するリング等の綴込み部は、作りやすさや強度の観点等から汎用的に、プラスチック製又は金属製とされる。しかし、廃棄時の問題等から企業イメージを損なう恐れがあるとして、金属フリー、プラスチックフリーの綴込み部を採用したい旨の要請がある。このような事情に鑑み、例えば、下記特許文献１では、複数枚のカレンダー紙葉を硬質紙製のリングを活用して組立型の紙製スタンドに綴込んで構成され、構成部品のすべてを紙製品とした卓上カレンダーが提案されている。
【０００３】
また、その他の紙葉の綴込み構造の例としてファイル、ノート、冊子等の綴込みを挙げることができ、この場合、金属フリーやプラスチックフリーで構成しようとすれば、糸、紐等で綴込むことがほとんどである。
【先行技術文献】
【特許文献】
【０００４】
【特許文献１】特開２００９−２１４４４９号公報
【発明の概要】
【発明が解決しようとする課題】
【０００５】
特許文献１で提案されている卓上カレンダーは、卓上スタンドのスタンド部を組み立てるときや、硬質紙製のリングを形成するときに、いずれも熱溶解性接着剤を用いているので実質的にプラスチックを使う構成である。したがって、特許文献１で提案されている卓上カレンダーにおいて、スタンド部の構成を工夫することにより、また、リング等を不要にして綴込むのを可能とすることにより、接着剤等までも不要にし、すべてを紙で構成した卓上カレンダー等の商品を提供できる可能性がある。
【０００６】
さらに、金属又はプラスチックを避けた紙葉の綴込み構造は、上述した糸や紐以外の部材であっても構成することができる可能性があり、ファイル、ノート等の各種の紙製品の新たな綴込み構造として成立する見込みがある。一方、スタンド部の構成において、それ自身の弾性により広がって自立する構成とすれば、ユーザーに驚きや楽しさを与え、かつ、ユーザーの必要な組立作業を簡便にすることができる。
【０００７】
本発明は、上記実情に鑑み提案され、すべてを紙で構成し、廃棄する時に環境問題を起こさず、各種の紙葉の綴込み、ファイリング等に活用可能な紙葉の台紙への綴込み構造を提供することを目的とする。
【課題を解決するための手段】
【０００８】
上記目的を達成するため、本発明は、紙葉に設けられている差込み片を、この差込み片よりも短い長さで台紙上に形成されている開口部へ差込むことで、前記紙葉を前記台紙へ綴込むことのできる紙葉の台紙への綴込み構造であって、前記紙葉は、前記差込み片と、表示内容が掲載される箇所となる本体部と、この本体部及び前記差込み片の間で、前記開口部よりも短い又は同等の長さで介在して前記本体部及び前記差込み片をつなぐ介在部とを有し、この介在部の一部に切れ刃が入れられることで、前記本体部及び前記差込み片を連結している連結部が形成されてなり、前記差込み片の前記開口部への差込みを通じ、前記台紙に前記差込み片を引っ掛けることで、前記連結部を支軸として前記本体部が前記台紙へ、揺動可能に綴込まれることを特徴とする。
【０００９】
さらに、上記台紙は、前記開口部の周縁から両側端まで折れスジが形成されるとともに、前記開口部上へ向けて突出する突出部が形成されていることを特徴とすることもできる。
【００１０】
さらに、本発明は、前記開口部におけるコーナー部から前記台紙の側端へ向けて切込みが入れられていることを特徴とすることもでき、前記紙葉の本体部が複数に分割されていることを特徴とすることもできる。
【発明の効果】
【００１１】
本発明は、紙葉に設けられている差込み片を、この差込み片よりも長さ方向に短い長さで台紙上に形成されている開口部へ差込むことで、紙葉を台紙へ綴込むことのできる紙葉の台紙への綴込み構造に係る。具体的には、差込み片と、表示内容が掲載される箇所となる本体部と、この本体部及び差込み片の間で、開口部よりも短い又は同等の長さで介在して本体部及び差込み片をつなぐ介在部とを有し、この介在部の一部に切れ刃が入れられることで、本体部及び差込み片を連結している連結部が形成されてなる紙葉の差込み片を開口部へ差込み、台紙に差込み片を引っ掛けることで、連結部を支軸として本体部が台紙へ揺動可能に綴込まれる綴込み構造を構成している。したがって、本発明は、金属製、プラスチック製の部材を使用することがなく、接着剤も不使用として、すべてを紙で構成することができ、廃棄する時に環境問題を起こさない紙製表示具、その他のファイル、ノート、冊子、書籍等を含む各種の紙製品に適用可能な新しい綴込み構造として提供することができる。
【００１２】
さらに、本発明は、台紙に関し、開口部の周縁から両側端まで折れスジが形成されるとともに、開口部上へ向けて突出する突出部が形成されている構成である。これにより、突出部によって開口部に差込み片が差込まれた状態が維持され、介在部の上下の位置ズレを防いで紙葉の台紙への綴込みが確実になることから、好適な綴込み構造を提供することができる。
【００１３】
また、開口部におけるコーナー部から台紙の側端へ向けて切込みが入れられている構成により、切込みによって一度に、複数枚の紙葉を開口部へ差込み又は取外すことが容易にできるようになるので、綴込み時及び取り外し時に便宜な綴込み構造を提供することができる。紙葉の本体部が複数に分割されている構成とすれば、紙葉に描いて表示しようとする内容をよりバラエティに富んだものとすることができ、本発明に係る紙葉の台紙への綴込み構造を採用した紙製品に、更なる付加価値を付与することが可能となる。
【００１４】
そして、本発明に係る紙葉の台紙への綴込み構造を採用した紙製品は、紙葉に掲載された内容をノートや冊子、ファイルとして、又は卓上カレンダーや壁掛けカレンダーとして表示することができる。さらに、例えば、台紙の構成を工夫することにより、台紙を折り曲げる等により構成する卓上スタンドに対し、贈呈用の袋や封筒から取り出した瞬間に広がって自ら略三角柱形状をなすという驚きの動作を備えさせることができる。また、自ら略三角柱形状をなすという自律型の構成によって、ユーザーの必要な組立作業を大幅に削減することができる。
【図面の簡単な説明】
【００１５】
【図１】本発明に係る紙葉の台紙への綴込み構造を採用した実施例１に係る紙製表示具であって、（ａ）はその前方斜視図、（ｂ）はその後方斜視図である。
【図２】図１における要部を拡大して説明する要部拡大説明図である。
【図３】実施例１に係る紙製表示具を構成する紙葉の正面図である。
【図４】紙葉（介在部）に入れる切れ刃の他の形態例を説明する説明図である。
【図５】実施例１に係る紙製表示具を構成するスタンド部の展開図である。
【図６】実施例１に係る紙製表示具を構成するスタンド部の要部説明図である。
【図７】実施例２に係る紙製表示具を構成するスタンド部の展開図である。
【図８】実施例２に係る紙製表示具を構成するスタンド部の説明図であって、（ａ）は底面側から見た斜視図、（ｂ）、その要部説明図、（ｃ）はその側面図である。
【図９】実施例３に係る紙製表示具を説明する正面図であって、（ａ）はピン止めめくりタイプの紙製表示具を示し、（ｂ）は天紐めくりタイプの紙製表示具を示している。
【図１０】紙葉の他の構成例を説明する正面図である。
【発明を実施するための形態】
【００１６】
以下、本発明に関するいくつかの実施形態について図面とともに説明する。以下に説明する実施形態は、本発明の構成を具現化した例示に過ぎず、本発明は、特許請求の範囲に記載した事項を逸脱することがなければ、種々の設計変更を行うことができる。
【００１７】
（実施例１）
実施例１は、図１に示すような、本発明に係る紙葉の台紙への綴込み構造を採用して構成された紙製表示具Ａに係り、例えば、暦等の表示内容がその本体部１１に掲載される紙葉としてのカレンダーカード１と、後述するようにして組立ててスタンド部２Ａとする台紙２とから構成されている。紙製表示具Ａは、図２に示すように、カレンダーカード１の端部に設けられている差込み片１２が、この差込み片１２よりも長さ方向に短い長さで、台紙２のほぼ中央に形成されている開口部２ａ（図５も参照のこと。）へ差込まれ、台紙２（スタンド部２Ａ）にカレンダーカード１が捲り可能（すなわち、揺動可能）に綴込まれる綴込み構造が適用されている。
【００１８】
カレンダーカード１は、図３に示すように、台紙２の開口部２ａに差し込まれる差込み片１２と、暦等の表示内容が掲載され、差込み片１２よりも長さ方向に長い本体部１１と、本体部１１及び差込み片１２の間で、台紙２の開口部２ａの長さ方向の長さと同等の長さで介在し、本体部１１及び差込み片１２をつないでいる介在部１３と、から構成されている。差込み片１２や本体部１１及び開口部２ａの長さ方向とは、その長手方向をいい、図１〜図５において左右方向をいう。本体部１１は差込み片１２と長さ方向に同等の長さであってもよく、長さ方向に短くても良い。本体部１１の長さを開口部２ａより長くすれば、カレンダーカード１を捲って逆向きになった本体部１１が、差込み片１２に代わって台紙２の開口部２ａに引っ掛かるようになり、カレンダーカード１が台紙２の開口部２ａから抜け落ちるのを防ぐことができるので、捲り、揺動を安定させることができて好ましい形態となる。また、介在部１３の長さは、開口部２ａよりも長さ方向に短くてもよい。介在部１３が開口部２ａよりも長さ方向に短い場合には、その長さは、開口部２ａからカレンダーカード１が抜け落ちない程度であって、開口部２ａに差し込まれた後に左右に位置ズレが起こらない程度であることが好適である。
【００１９】
カレンダーカード１は、介在部１３の一部、例えば、差込み片１２との境界の一部を含んで略コの字型（図３参照）に切れ刃１ｘが入れられることで、本体部１１及び差込み片１２を連結する連結部１３１が形成されている。この連結部１３１における差込み片１２との境界及び本体部１１との境界には、それぞれ折れスジが設けられ、平行な二本スジ１３１ａを形成している。二本スジ１３１ａを形成したのは、カレンダーカード１を揺動したり、折り曲げたりして生じる負荷を少なくするためである。また、この二本スジ１３１ａに対してミシン目加工が施されていれば、差込み片１２を台紙２に差込んだままで、ミシン目に沿って千切って本体部１１のみを切り取るといった使用の際に便宜である。さらに、連結部１３１における折れスジは二本スジ１３１ａに限らず、連結部１３１に最低限１つ以上折れスジが形成されることで、折り曲げたりして生じる負荷を少なくすることができる。なお、図３において切れ刃１ｘは、介在部１３と差込み片１２との境界の一部を含んで略コの字型に入れられた例を開示しているが、例えば、図４（ａ）に示すように、介在部１３と本体部１１との境界の一部を含んで略コの字型に切れ刃１ｙを入れることもできる。さらに、図４（ｂ）に示すように、介在部１３を横断する切れ刃を含んで略エの字の形態に切れ刃１ｚを入れることもできる。また、カレンダーカード１の差込み片１２及び介在部１３は、型抜きによって形成することができる。
【００２０】
台紙２は、図５に示すように、ほぼ中央に設けられている開口部２ａと、この開口部２ａの周縁から両側端まで形成されている折れスジとしての第一台紙折れスジ２ｂとを有している。開口部２ａは、特に、第一台紙折れスジ２ｂ同士を結んで開口部上２ａに形成される仮想線（図５において一点鎖線で示されている。）により、広口領域２ａ１と、この広口領域２ａ１より幅の狭い狭口領域２ａ２とに区分けすることができる。この広口領域２ａ１は、開口部２ａ上へ台紙２から突出させて設けられた略台形状の突出部２１２により、ほぼ覆われている。また、広口領域２ａ１における開口部２ａの隅部分であるコーナー部２ｒから台紙２の側端へ向けて切込み２ｘが、例えば、略への字のような形態で入れられている。なお、広口領域２ａ１及び狭口領域２ａ２は、台紙２からスタンド部２Ａが後述するようにして組立てられる際に、第一台紙折れスジ２ｂに沿って台紙２が折り曲げられることによって形成される。
【００２１】
カレンダーカード１を台紙２に綴込むには、図２に示すように、台紙２上で、狭口領域２ａ２側から突出部２１２の下側へ向けて、カレンダーカード１の介在部１３が狭口領域２ａ２に位置決めされるまで、差込み片１２を開口部２ａへ差込めばよい。差込み片１２の差込みは、広口領域２ａ１におけるコーナー部２ｒの切込み２ｘを介して進めることがスムーズであり、切込み２ｘの存在によって複数枚のカレンダーカード１を一度に綴じ込むことができるので好ましい。なぜなら、切込み２ｘの略への字の形態により、差込み片１２で台紙２を押込めば略への字の切込み２ｘが開くので、この切込み２ｘの開きを通じて差込み片１２を開口部２ａへ差込むことをスムーズに行うことができるからである。さらに、差込み片１２が開口部２ａへ差込まれた後は、台紙２の押し込まれた箇所の反発、反動で切込み２ｘの開きが元に戻って閉じるため、差込み片１２が台紙２（開口部２ａ）から抜けにくくなるという効果もある。これにより、台紙２にカレンダーカード１の差込み片１２が開口部２ａから抜けることなく引っ掛かるとともに、略台形の突出部２１２によって介在部１３の上下の位置ズレを防ぐことで、介在部１３を狭口領域２ａ２上に、半ば自動的に位置決めすることができる。また、介在部１３と開口部２ａとの長さが同等であるので、カレンダーカード１が左右の位置ズレを起こすこともない。
【００２２】
なお、図１及び図２では、台紙２から組立てたスタンド部２Ａの開口部２ａに差込み片１２が差し込まれた形態が示されているが、組立てたスタンド部２Ａの開口部２ａへ差込み片１２を差込むのと、平らな台紙２の開口部２ａへ差込み片１２を差込むのとでは、第一台紙折れスジ２ｂに沿って台紙２が折り曲げられることによって、開口部２ａに広口領域２ａ１及び狭口領域２ａ２が形成されるか否かの点のみが相違するに過ぎない。したがって、スタンド部２Ａを組立てたかどうかにかかわらず、いずれもの場合にも狭口領域２ａ２側から突出部２１２の下側へ向けて、カレンダーカード１の介在部１３が狭口領域２ａ２に位置決めされるまで、差込み片１２を開口部２ａへ差込むことにより、カレンダーカード１を台紙２（スタンド部２Ａ）に綴じ込むことができる。
【００２３】
介在部１３が狭口領域２ａ２上で位置決めされると、カレンダーカード１は台紙２上で、本体部１１が連結部１３１の二本スジ１３１ａを支軸として揺動可能となる。これにより、カレンダーカード１を台紙２へ綴込んだ本発明に係る紙葉の台紙への綴込み構造が達成される。カレンダーカード１はスタンド部２Ａ上で繰り返し捲られても、支軸が二本スジ１３１ａであるので強度があって、千切れることがない。
【００２４】
ここで、実施例１の紙製表示具Ａを構成するスタンド部２Ａは、以下のようにして台紙２から組立てることができる。まず、図５に示すように、台紙２は、第一台紙折れスジ２ｂよりも広口領域２ａ１側の背面板２１と、第一台紙折れスジ２ｂよりも狭口領域２ａ２側の正面板２２と、この正面板２２に連続し、正面板２２との境界に第二台紙折れスジ２ｃが形成されている底面板２３とからなる。底面板２３の正面板２２と反対側の端辺の略中央に中央突起部２３１が設けられ、底面板２３の正面板２２と反対側の端辺であって中央突起部２３１の傍らに、底面板２３との境界に第三台紙折れスジ２ｄが形成されている傍設突起部２３２が設けられている。台紙２の紙目は、強度を考慮すれば図５において天地方向に有することが好ましい。
【００２５】
また、台紙２は、中央突起部２３１と底面板２３との境界において、底面板２３へ向けて突出する形状に底面板２３が切り込まれて突出片２３３が形成されている。この突出片２３３から中央突起部２３１と底面板２３との境界に沿って、第四台紙折れスジ２ｅが形成されている。これにより、第四台紙折れスジ２ｅに中央突起部２３１を沿って折り曲げると、中央突起部２３１から突出片２３３が突出する形態となる。このほか、背面板２１には、中央突起部２３１が挿入される被挿入部２１１Ａが形成されている。上述したように背面板２１から広口領域２ａ１へ向けては、突出部２１２が突出している。
【００２６】
背面板２１の被挿入部２１１Ａは、中央突起部２３１が挿入される挿入孔本体２１１ａと、この挿入孔本体２１１ａの両端において、開口部２ａへ向けて入れられた切込み２ｙにより形成される引掛け片２１１ｂとからなる。引掛け片２１１ｂは、スタンド部２Ａの組立の際に、第四台紙折れスジ２ｅ沿って折り曲げて突出した突出片２３３が引っ掛かる箇所となる。２つの切込み２ｙ間の長さ（幅）は、挿入孔本体２１１ａの長さ（幅）よりも長い。一方、中央突起部２３１は、被挿入部２１１Ａに挿入された後に挿入孔本体２１１ａから抜けにくくするため、先端側が挿入孔本体２１１ａの長さよりも長くされ、かつ、根元側よりも膨らんだ形状を有している。なお、図６に示すように、被挿入部２１１Ａに挿入された後には、突出片２３３の先端が引掛け片２１１ｂに衝突するため抜けにくく、このような突出片２３３の構成によっても、挿入孔本体２１１ａから中央突起部２３１が抜けにくい被挿入部２１１Ａの形態であるといえる。
【００２７】
突出片２３３は、引掛け片２１１ｂに引掛け可能な形状であって、例えば、図５において半円形状であり、引掛け可能な形状であれば矩形、三角形状等でもよい。傍設突起部２３２は、背面板２１を押圧可能な形状であって、例えば、図５において半円形状であり、押圧可能な形状であれば矩形、三角形状等でもよい。
【００２８】
台紙２からスタンド部２Ａへの組立ては、まず、第一台紙折れスジ２ｂ、第二台紙折れスジ２ｃに沿って台紙２を山折りし、背面板２１、正面板２２及び底面板２３をそれぞれ、図５において奥側へ向けて折り、下から正面板２２、底面板２３、背面板２１の順に重なるように折り畳む。次に、底面板２３と傍設突起部２３２との境界の第三台紙折れスジ２ｄに沿って傍設突起部２３２を折り曲げ、傍設突起部２３２を底面板２３と背面板２１との間に挟む。最後に、中央突起部２３１を第四折れスジ２ｅに沿って折り曲げ、続いて被挿入部２１１Ａに挿入することで、図１に示すようなスタンド部２Ａを完成させる。
【００２９】
特に、図６に示すように、中央突起部２３１の被挿入部２１１Ａへの挿入は、突出片２３３を中央突起部２３１から突出させ、挿入孔本体２１１ａを通して被挿入部２１１Ａの引掛け片２１１ｂに引掛けた後、正面板２２と背面板２１とを重ねる方向に押圧するというワンタッチで済ませることができる。正面板２２と背面板２１とを押圧することで、被挿入部２１１Ａに入れられている切込み２ｙに、突出片２３３に連続する底面板２３部分が侵入して引掛け片２１１ｂを持ち上げ、この引掛け片２１１ｂが持ち上げられて広がった挿入孔本体２１１ａに、中央突起部２３１が自動的に挿入されるからである。さらに、押圧するのを止めると、第二台紙折れスジ２ｃ及び第三台紙折れスジ２ｄの折り曲げによる弾性に基づいて、傍設突起部２３２が背面板２１を押圧して中央突起部２３１が被挿入部２１１Ａ（挿入孔本体２１１ａ）の縁に引っ掛かって中央突起部２３１が被挿入部２１１Ａから抜けなくなり、背面板２１から中央突起部２３１が飛び出すこともなくなる。そして、自律的に全体として略三角柱形状をなしてスタンド部２Ａが完成することとなる。
【００３０】
本発明において、カレンダーカード１は複数枚（例えば、６枚又は１２枚）を一度に、コーナー部２ｒの切込み２ｘを通じて容易に台紙２（スタンド部２Ａ）の開口部２ａへ綴込むことができる。また、介在部１３と開口部２ａとの長さ方向の長さが略同一の長さであるとともに、広口領域２ａ１上に突出する突出部２１２によって、カレンダーカード１が捲られたときに上下及び左右方向へずれることがなく、台紙２（スタンド部２Ａ）から外れることも無い。カレンダーカード１が捲られる際に生じる紙葉の反発も、介在部１３に入れられた切れ刃１ｘによって抑えることができる。
【００３１】
このように、実施例１に係る紙製表示具Ａは、本発明に係る紙葉の台紙への綴込み構造によって、すべてを紙で構成することができ、廃棄する時に環境問題を起こさないものとして提供することができる。さらに、スタンド部２Ａの組立において中央突起部２３１の被挿入部２１１Ａへの挿入をワンタッチで済ませることができ、スタンド部２Ａを組み立てる作業量を大幅に省くことができる。中央突起部２３１を被挿入部２１１Ａへ挿入する作業は、例えば、紙製表示具Ａを袋や封筒に収容して贈呈用として活用する場合に、その組立て作業を袋や封筒に収容する際の作業に含ませることができ、ユーザーにとって必要な作業を実質ゼロとすることができる。中央突起部２３１の被挿入部２１１Ａへの挿入を済ませると、第二台紙折れスジ２ｃ及び第三台紙折れスジ２ｄの折り曲げによる弾性に基づいて自律的に略三角柱形状をなすため、贈呈用の袋や封筒から取り出した瞬間に広がって台紙２が自らスタンド部２Ａをなすという驚きの動作を備えさせることもできる。なお、上述したとおり、本発明に係る紙葉の台紙への綴込み構造は、台紙２からスタンド部２Ａを組立てた後にカレンダーカード１を台紙２へ綴込むこともでき、カレンダーカード１を台紙２へ綴込んでからスタンド部２Ａを組立てることもできる。
【００３２】
（実施例２）
実施例２は、図７に示すような台紙２０から組立て、これを図８に示すようなスタンド部２Ｂとして構成した紙製表示具に係る。実施例１と比べて異なるのがスタンド部２Ｂの構成であり、実施例２で適用される紙葉の台紙への綴込み構造は、実施例１と同様とされている。
【００３３】
具体的には、実施例２の紙製表示具Ｂを構成するスタンド部２Ｂは、背面板が分割され、その背面板同士を係合させて略三角柱状に組み立てられる点で、実施例１のスタンド部２Ａと相違している。図７に示すように、台紙２０は、第一台紙折れスジ２ｂよりも広口領域２ａ１側の背面板２１及び第一台紙折れスジ２ｂよりも狭口領域２ａ２側の正面板２２に加え、この正面板２２に連続し、正面板２２との境界に実施例１と同様に第二台紙折れスジ２ｃが形成されている挿入側底面板２３ａと、背面板２１に連続し、背面板２１との境界に第五台紙折れスジ２ｆが形成されている被挿入側底面板２３ｂとが形成されて構成されている。実施例１の台紙２と相違し、被挿入側底面板２３ｂに、実施例１の被挿入部２１１Ａと同様な形状であるが上下逆さまにした被挿入部２３ｂＢが配置されている。なお、被挿入部２３ｂＢの中央突起部２３１が挿入される挿入孔本体、この挿入孔本体の両端において、開口部２ａへ向けて入れられた切込みにより形成される引掛け片は、実施例１のものと同様の形状である。  
【００３４】
挿入側底面板２３ａは、スタンド部２Ｂが背面板同士を係合させて略三角柱状に組み立てられるため、実施例１の背面板２３と比べると図７における天地方向の長さが短いものの、正面板２２と反対側の端辺の略中央に中央突起部２３１が、この中央突起部２３１の傍らに傍設突起部２３２が、及び、中央突起部２３１と底面板２３との境界において、底面板２３へ向けて突出する形状に底面板２３が切り込まれて突出片２３３がそれぞれ設けられている点とその形状、及び、第二〜第四台紙折れスジ２ｃ〜２ｅが形成されている点で、実施例１の背面板２３と同様である。台紙２の紙目は強度を考慮し、図７において天地方向に有するのが好ましい。実施例２においても突出片２３３は、引掛け片に引掛け可能な形状であれば半円形状に限らず、矩形、三角形状等でもよい。傍設突起部２３２は、背面板２１を押圧可能な形状であれば半円形状に限らず、矩形、三角形状等でもよい。
【００３５】
台紙２０からスタンド部２Ｂへの組立ては、まず、第一台紙折れスジ２ｂ、第二台紙折れスジ２ｃ及び第五台紙折れスジ２ｆに沿って台紙２を山折りし、背面板２１、正面板２２、挿入側底面板２３ａ及び被挿入側底面板２３ｂをそれぞれ、図７において奥側へ向けて折り、下から正面板２２、挿入側底面板２３ａ、被挿入側底面板２３ｂ、背面板２１の順に重なるように折り畳む。次に、挿入側底面板２３ａと傍設突起部２３２との境界の第三台紙折れスジ２ｄに沿って傍設突起部２３２を折り曲げ、傍設突起部２３２を挿入側底面板２３ａと被挿入側底面板２３ｂとの間に挟む。最後に、中央突起部２３１を第四折れスジ２ｅに沿って折り曲げ、続いて被挿入部２３ｂＢに挿入することで、図８（ａ）に示すようなスタンド部２Ｂが完成する。
【００３６】
図８（ｂ）に示すように、中央突起部２３１の被挿入部２３ｂＢへの挿入は、実施例２においても、突出片２３３を中央突起部２３１から突出させ、挿入孔本体を通して被挿入部２３ｂＢの引掛け片に引掛けた後、正面板２２と背面板２１とを重ねる方向に押圧するというワンタッチで済ませることができる。正面板２２と背面板２１とを重ねる方向に押圧すると、実施例１と同様、これらに挟まる挿入側底面板２３ａと被挿入側底面板２３ｂとの間で、広がった挿入孔本体に中央突起部２３１が自動的に挿入される動きが起こるからである。また、押圧するのを止めると、第二台紙折れスジ２ｃ、第三台紙折れスジ２ｄ及び第五台紙折れスジ２ｆの折り曲げによる弾性に基づいて、傍設突起部２３２が被挿入側底面板２３ｂを押圧して中央突起部２３１が挿入孔本体の縁に引っ掛かって中央突起部２３１が被挿入部２３ｂＢから抜けなくなるとともに、自律的に全体として略三角柱形状をなしてスタンド部２Ｂが完成することとなる（図８（ｃ）も参照のこと。）。
【００３７】
したがって、実施例２に係る紙製表示具Ｂは、本発明に係る紙葉の台紙への綴込み構造によって、すべてを紙で構成することができ、廃棄する時に環境問題を起こさないものとして提供することができるとともに、スタンド部２Ｂの組立において中央突起部２３１の被挿入部２３ｂＢへの挿入をワンタッチで済ませることができる等、スタンド部２Ｂを組み立てる作業量を大幅に省くことができる。贈呈用の袋や封筒から取り出した瞬間に広がって台紙２が自らスタンド部２Ｂをなすという驚きの動作も備えさせることができる。実施例２に適用される本発明に係る紙葉の台紙への綴込み構造は実施例１と同様であるので、実施例２では、台紙２０からスタンド部２Ｂを組立てた後にカレンダーカード１を台紙２へ綴込むこともでき、カレンダーカード１を台紙２０へ綴込んでからスタンド部２Ｂを組立てることもできる。
【００３８】
（実施例３）
実施例３に係る紙製表示具は、図９に示すように、壁掛けタイプのカレンダーであって、ピン止めめくりタイプの紙製表示具Ｃ１（図９（ａ）参照）、及び、天紐めくりタイプの紙製表示具Ｃ２（図９（ｂ）参照）等を例示することができる。実施例３に係る紙製表示具は、例えば、実施例１で示したカレンダーカード１を用い、その差込み片を、実施例２の台紙のうち正面板及び背面板からなるもの（台紙２００）の開口部２ａへ差し込むことにより、カレンダーカード１を台紙２００へ綴込むことができる。
【００３９】
カレンダーカード１を台紙２００に綴込むには、実施例１と同様にして、台紙２００上で、狭口領域側から突出部の下側へ向けて、カレンダーカード１の介在部が狭口領域に位置決めされるまで、差込み片を開口部２ａへ差込めばよい。差込み片の差込みは、広口領域におけるコーナー部の切込みを介して進めることがスムーズであり、切込みの存在によって複数枚のカレンダーカード１を一度に綴込むことができる。なお、紙製表示具Ｃ１，Ｃ２において、ピン止めめくりとするための構成、天紐めくりとするための構成は、それぞれ公知の手段により達成することができる。
【００４０】
なお、図１０に示すように、紙葉としてのカレンダーカード１０は、差込み片１２をそのままの形態とし、その本体部のみを分割した分割本体部１１１を有する形態とすることもできる。このような紙製表示具は、分割本体部１１１の片側のみをめくる等により、バラエティに富んだ表示形式を提案することができる。
【００４１】
（その他の実施例）
さらに、本発明に係る紙葉の台紙への綴込み構造は、開口部の狭口領域側から突出部の下側へ向けて、紙葉の介在部が狭口領域に位置決めされるまで、差込み片を開口部へ差込んで達成される綴込み構造であるので、紙葉のうち本体部を台紙の内側に挟んで構成する紙製品を構築することができる。具体的には、本発明に係る紙葉の台紙への綴込み構造を採用して、台紙を表紙及び裏表紙に見立て、紙葉をルーズリーフに見立てたメモ帳を構成したり、ファイル、ノート、冊子、書籍等を構成したりすることができる。このような紙製品は、本体部が揺動するのに連結部の二本スジ（折れスジ）を支軸とするので、紙葉が繰り返し捲られても千切れることがなく、介在部の切れ刃によって、捲られる際に生じる紙葉の反発を抑えることができる。差込み片を開口部へ差込んで達成される綴込み構造であって、特に、開口部のコーナー部に切込みを入れることにより、複数の紙葉の綴込み及び取外しを容易にすることもできる。
【００４２】
以上、本発明の一実施形態を例示して説明したが、本発明は、特許請求の範囲に記載された事項を逸脱することがなければ、種々の設計変更を行うことが可能である。例えば、上記実施形態では、紙製表示具と称し、紙葉に暦が記載されたカレンダー紙葉を台紙へ綴込んだ例を説明しているが、本発明は、台紙へ綴じ込む紙葉を、暦のほか、各種の写真パネル類、商品を表示する名札、値段、公告等の表示物を表示する紙葉とすることができ、様々な内容を表示することのできる紙製表示具に係る発明として提供することができる。本発明は、環境問題とならない紙製であって、ある程度の厚みを有して所望の効果が得られるものであれば、紙の材質に制限されるものではない。本発明は、室内の机やテーブル、家具、棚の上に載置する卓上用途、壁掛け用途、文房具に類する用途に限られず、例えば、大きさによって屋外で供される表示の用途にも適用することが可能である。
【符号の説明】
【００４３】
Ａ・・・・・紙製表示具（実施例１）
Ｂ・・・・・紙製表示具（実施例２）
Ｃ１，Ｃ２・紙製表示具（実施例３）
１・・・・・カレンダーカード（紙葉）
１０・・・・カレンダーカード（分割タイプ）
１１・・・・本体部
１１１・・・分割本体部
１２・・・・差込み片
１３・・・・介在部
１３１・・・連結部
１３１ａ・・二本スジ
１ｘ・・・・切れ刃
１ｙ・・・・切れ刃
１ｚ・・・・切れ刃
２・・・・・台紙（実施例１）
２０・・・・台紙（実施例２）
２００・・・台紙（実施例３）
２Ａ・・・・スタンド部（実施例１）
２Ｂ・・・・スタンド部（実施例２）
２ａ・・・・開口部
２ａ１・・・広口領域
２ａ２・・・狭口領域
２ｂ・・・・第一台紙折れスジ
２ｃ・・・・第二台紙折れスジ
２ｄ・・・・第三台紙折れスジ
２ｅ・・・・第四台紙折れスジ
２ｆ・・・・第五台紙折れスジ（実施例２）
２ｒ・・・・コーナー部
２ｘ・・・・切込み
２ｙ・・・・切込み
２１・・・・背面板
２１１Ａ・・被挿入部（実施例１）
２１１ａ・・挿入孔本体
２１１ｂ・・引掛け片
２１２・・・突出部
２２・・・・正面板
２３・・・・底面板（実施例１）
２３１・・・中央突起部
２３２・・・傍設突起部
２３３・・・突出片
２３ａ・・・挿入側底面板（実施例２）
２３ｂ・・・被挿入側底面板（実施例２）
２３ｂＢ・・被挿入部（実施例２）
【図２】
2015009391.tif 000003
【図３】
2015009391.tif 000004
【図４】
2015009391.tif 000005
【図５】
2015009391.tif 000006
【図６】
2015009391.tif 000007
【図７】
2015009391.tif 000008
【図９】
2015009391.tif 000009
【図１０】
2015009391.tif 000010
【図１】
2015009391.tif 000011
【図８】
2015009391.tif 000012